(57)【特許請求の範囲】
【請求項１】
水が流れるパイプに外側より着脱自在に装着される左、右一対の水処理具であって、該水処理具は合成樹脂で形成すると共に、中間部の該パイプの長手方向に沿った側部は蝶番となるように薄肉状にし、且つ、左、右の対峙する位置には該合成樹脂内に永久磁石を埋設して一体成型し、更に、該蝶番と反対の外側には左、右一対の水処理具を係着するための止め具を設けることを特徴とする水処理具。
【請求項２】
前記左、右の対峙する位置には、遠赤外線放射体を該永久磁石と並列に所定間隔で、該合成樹脂内に埋設して一体成型することを特徴とする請求項１記載の水処理具。
【請求項３】
前記水処理具の端部は、該水処理具同士を連結するために、該水処理具の対峙面に沿って、その断面を凸部又は凹部に形成することを特徴とする請求項１又は２記載の水処理具。
【発明の詳細な説明】
【０００１】
【発明の属する技術分野】
本発明は水処理具に関するものであり、特に、水道管や給水管等のパイプ内を流れる水を活性化することにより、水質を改善して該パイプ内に赤錆等の発生を防止する水処理具に関するものである。
【０００２】
【従来の技術】
従来の水処理具としては、導管の外周面に装着されるハウジングと、該ハウジングに設けられる複数個の永久磁石とからなり、更に、該ハウジングは全体が弾性材料により形成されており、該導管が挿通されている貫通部と該貫通部に全長にわたり連通し、且つ、外周面に開口する取付溝とを備えている。又、該貫通部を挟む対向面には、それぞれ複数個の永久磁石が所定間隔で配設されていると共に、該貫通部は該ハウジングの弾性変形により幅が拡縮し、該取付溝は開閉可能になっているものがある。
【０００３】
一方、パイプに外嵌され半割りされた一対のケースと該ケースに設けられ、該パイプを流れる水に磁力線を直交するように設けられるＮ極及びＳ極の永久磁石と、該永久磁石の外側に各々設けられるヨークと、該ケースの出水口側に設けられるセラミック遠赤外線放射体材とを具備した簡易型水処理装置がある。
【０００４】
【発明が解決しようとする課題】
前記従来の水処理具は異なる外径の導管に対して、該水処理具の装着が可能となるように、該導管が挿通される貫通部の幅を拡縮可能にしたものであって、永久磁石を内蔵したハウジングの構造が複雑であると共に、その製造過程に於て、別々の部材を組合わせて行うので、その製作費用がコストアップになり、且つ、各部品の組立による精度誤差が生じ、製品の品質に悪影響が起こる。又、前記簡易型水処理装置に於ても、ケース内にヨーク、永久磁石及びセラミック遠赤外線放射体材の各部品を組合わせているので、前記したような不都合が生じる。
【０００５】
そこで、水が流れるパイプに於て、各部品の組立て工程をなくし、簡単に且つ品質のバラツキもなく、しかも安価に製作でき、更に、該パイプへの装着も容易にでき、水の活性化を図る水処理具を得るために解決すべき技術的課題が生じてくるのであり、本発明は、この課題を解決することを目的とする。
【０００６】
【課題を解決するための手段】
本発明は上記目的を達成するために提案されたものであり、水が流れるパイプに外側より着脱自在に装着される左、右一対の水処理具であって、該水処理具は合成樹脂で形成すると共に、中間部の該パイプの長手方向に沿った側部は蝶番となるように薄肉状にし、且つ、左、右の対峙する位置には該合成樹脂内に永久磁石を埋設して一体成型し、更に、該蝶番と反対の外側には左、右一対の水処理具を係着するための止め具を設ける水処理具、及び前記左、右の対峙する位置には、遠赤外線放射体を該永久磁石と並列に所定間隔で、該合成樹脂内に埋設して一体成型する水処理具、並びに前記水処理具の端部は、該水処理具同士を連結するために、該水処理具の対峙面に沿って、その断面を凸部又は凹部に形成する水処理具を提供するものである。
【０００７】
【発明の実施の形態】
以下、本発明の一実施の形態を図１乃至図３に従って詳述する。図１は水の流れるパイプ１に水処理具２を装着した状態を示す斜視図である。該パイプ１は家庭用や工業用等に使用される水が流れる水道管であり、磁力線及び遠赤外線が透過可能な鋼管又は鋼管塩化ビニール等の合成樹脂から形成される。該パイプ１の所定箇所には着脱自在の水処理具２を該パイプ１の外側に嵌合させて装着する。該水処理具２は透磁性及び遠赤外線の透過性を持つ合成樹脂を主材料として製作する。
【０００８】
図２（ａ）は、該水処理具２の縦断側面を示し、該パイプ１に沿うように所定長さの円筒状に形成し、内面は該パイプ１に密着させると共に、外面との間に所定数の永久磁石１０，１０，１０，１０を合成樹脂内に埋設して一体成型する。又、図２（ｂ）は、該水処理具２の水平断面を示し、下方に示す中間部３の該パイプ１の長手方向に沿った側部には、該パイプ１を挟んで左、右に開閉できる蝶番３ａとなるように、該合成樹脂を薄肉状に形成する。薄肉状の形成方法は、該中間部３の該パイプ１側に図示のように略台形状の溝４からなる空間部を長手方向に設けて形成し、その厚さは屈曲に耐えられるものとする。又、該蝶番３ａと向かい合う他方の中間部３にも、やや小さな台形状の溝４を長手方向に形成すると共に、該溝４の上部に該水処理具２を左、右に開閉できる分割部５を設ける。従って、該蝶番３ａを境にして左、右一対の水処理具が形成される。尚、該蝶番３ａは、該パイプ１の大きさにより複数形成してもよい。
【０００９】
更に、該分割部５の上方に該水処理具２の外周面に沿って水平に該水処理具２を該パイプ１に係着するための止め具６を設ける。該止め具６は、一方の端部をヒンジ６ａに、他方の端部を鉤状の爪６ｂに構成して左、右一対の水処理具２を該パイプ１の外側より該蝶番３ａを介して、互いに引き寄せて装着できるように構成する。
【００１０】
次に、図２（ｃ）は、該水処理具２の該合成樹脂内に該永久磁石１０，１０が埋設された状態を示す水平断面であり、該永久磁石１０，１０は該パイプ１を挟んで左、右対峙する位置に該水処理具２の曲率に合わせて所定長さ埋設する。従って、該パイプ１を流れる水に磁力線が直交するように、一方の永久磁石１０をＮ極に、他方の永久磁石１０をＳ極にして一対ずつ設置する。又、該パイプ１に沿う長手方向には、図２（ａ）に示すように該水処理具２内に所定間隔で複数の永久磁石１０，１０，１０，１０を同軸上に対峙させて設置する。該永久磁石１０，１０…の大きさ、セット数及び磁極配列等は該水処理具２の設計により適宜決定される。
【００１１】
尚、該永久磁石１０は、略１５００ガウスのセラミック・フェライト磁石、コバルトとサマリウムとの合金からなるサマリウム磁石並びに鉄とネオンム及びほう素との合金からなるネオジム磁石等を使用する。
【００１２】
又、該水処理具２の製造方法としては、該水処理具２の外側の形状に合わせた金型（図示せず）と内側の形状に合わせた金型（図示せず）とを所定間隔で結合し、該金型間に所定数の該永久磁石１０，１０，１０，１０を対峙させて配設した後、該金型内に合成樹脂を射出して一体成型する。その際、該水処理具２を該パイプ１の長手方向に複数連続的に設置できるよう図２（ａ）に示すように、該水処理具２の端部７，７は該水処理具２の対峙面に沿って、その断面を凸部又は凹部に成型する。該凸部及び凹部は、該水処理具２が抜け落ちないように楔状に形成すると共に、該凹部となる部分は全周に設けるが、該凸部は所定間隔に設けて該水処理具２，２同士の連絡作業が容易に行えるようにしてもよい。
【００１３】
次に、磁気による水の活性化作用を説明する。Ｎ極の永久磁石１０とＳ極の永久磁石１０の２極の磁場間に生じた磁場中に水が直交方向に流れると、水のクラスター間に振動摩擦エネルギーが発生し、そのエネルギーにより電子が発生する。弱い電子的凝集で結合している水中のＨ2 Ｏ分子同士は、振動により切り離され、クラスターの細分化が起こる。細分化された分子は更に摩擦を繰り返し、電子を発生させる。その結果、電子の働き等により炭酸カルシューム等のスケールの結晶を刺激し、水に溶解させたり、腐食を防止し、該パイプ１内に発生する赤錆（Fe2 O3）を黒錆（Fe3 O4）に変化させる。該パイプ１内を赤錆から強固な黒錆の被膜に転換させると、該パイプ１の耐久度は飛躍的に向上する。
【００１４】
次に、図３に示すように水の活性化を更に向上させるために遠赤外線放射体１１，１１を用いて水処理具２ａを形成する。該遠赤外線放射体１１，１１はセラミックで形成されており、図３（ａ）に示すように該永久磁石１０，１０，１０，１０と長手方向に所定間隔を取って出水口１ｂ側に設けられる。図３（ｂ）は該水処理具２ａ内の該遠赤外線放射体１１，１１の埋設状態を示す水平断面図であり、該遠赤外線放射体１１，１１は、該永久磁石１０，１０，１０，１０の埋設と同様に、該パイプ１を挟んで左、右対峙する位置に該水処理具２ａの曲率に合わせて所定長さ埋設する。又、該水処理具２ａの製造方法は、前記の水処理具２と同様に該永久磁石１０，１０，１０，１０及び該遠赤外線放射体１１，１１とを該水処理具２ａの外側の金型（図示せず）と内側の金型（図示せず）との間に、所定数対峙させて配設した後、該金型内に合成樹脂を射出して一体成型する。該水処理具２ａを該パイプ１に装着したとき、該パイプ１の入水口１ａ側から出水口１ｂ側へ流れる水は、先ず、該永久磁石１０，１０，１０，１０によって、前記したように活性化作用が起こり、更に、該遠赤外線放射体１１，１１から放射する遠赤外線の照射によって水分子の分子運動の振動に共鳴作用を生じさせると共に、赤錆等の溶解を促進させ、該パイプ１内の錆、スケール等を除去、剥離し、再付着防止を図る。
【００１５】
尚、本発明は、この発明の精神を逸脱しない限り種々の改変を為すことができ、そして、この発明が該改変せられたものに及ぶことは当然である。
【００１６】
【発明の効果】
以上説明したように請求項１記載の発明は、合成樹脂内に永久磁石を埋設して一体成型するので構造が単純であり、安価に、且つ、品質が良好で均等な水処理具を簡単に量産することができる。又、中間部のパイプの長手方向に沿った側部は、蝶番となるように薄肉状に形成し、該蝶番と反対の外側には止め具を設けているので、合成樹脂の弾力性と蝶番により、該パイプに工具なしで容易に装着でき、且つ、止め具で確実に固定できる。
【００１７】
請求項２記載の発明は、更に，遠赤外線放射体を該永久磁石と並列に該合成樹脂内に埋設して一体成型するので、磁気と遠赤外線との相乗効果により水分子を活性化して、該パイプ内の赤錆、スケール等の付着を防止する。
【００１８】
請求項３記載の発明は、該水処理具の端部を凸部又は凹部に形成するので、該水処理具を連結する際、芯合わせもなく簡単に連結することができる。
【図面の簡単な説明】
【図１】本発明の一実施の形態を示し、パイプに水処理具を装着した状態を示す斜視図。
【図２】（ａ）  水処理具を連結した状態を示す一部切欠縦断側面図。
（ｂ）  図２（ａ）のＡ−Ａ断面図。
（ｃ）  図２（ａ）のＢ−Ｂ断面図。
【図３】（ａ）  永久磁石及び遠赤外線放射体を設けた水処理具の縦断側面図。
（ｂ）  図３（ａ）のＣ−Ｃ断面図。
【符号の説明】
１          パイプ（水道管）
２，２ａ    水処理具
３          中間部
３ａ        蝶番
６          止め具
７          端部
８          凸部
９          凹部
１０          永久磁石
１１          遠赤外線放射体
【図１】
0004085181.tif 000002
【図２】
0004085181.tif 000003
【図３】
0004085181.tif 000004